(57)【特許請求の範囲】
【請求項１】
医用機具が保管されている保管領域からの個人による当該医用機具の持ち出しを監視する医用機具管理システムであって、
前記医用機具に記録された個体識別情報を取得することで前記保管領域から持ち出される医用機具を認識する第１の認識手段と、
前記個人の個人識別情報を取得することで前記個人を認識し前記保管領域に出入りした個人を認識する第２の認識手段と、
前記医用機具及び前記個人の前記認識に基づき、前記個人の前記医用機具の持ち出しが正当であるかを判断する判断手段と、
前記個体識別情報と前記個人識別情報とを予め関連づけ、更に前記個体識別情報と前記個人識別情報の所定の組み合わせに対して予約時間情報を関連付ける予約データベースと、
前記第１の認識手段と前記第２の認識手段により取得した前記個体識別情報と前記個人識別情報の組み合わせを前記予約データベースから検索する予約検索手段と、
前記判断手段の結果、前記組み合わせが前記予約データベースに存在せず、正当であると判断されなければ、警告を発する第１の報知手段と、
前記判断手段の判断の結果、正当であれば、前記組み合わせにおける前記個体識別情報に対応する前記医用機具状態情報を報知する第２の報知手段と、
前記医用機具を選択するための機能条件の入力とともに予約を受け付ける入力インターフェースと、
前記各医用機具を機能別に区分けした機具特性テーブルと、
前記機能条件と前記機具特性テーブルとに基づき、前記機能条件を満たす前記医用機具についての前記予約データベースを作成する予約手段と、
前記医用機具の故障情報を予め記憶した状態管理テーブルと、
を備え、
前記個体識別情報は、前記医用機具の状態を示す医用器具状態情報と対になって記憶され、
前記予約手段は、前記判断手段の判断の結果が正当であり、かつ前記状態管理テーブルに前記認識された医用機具の前記故障情報が存在すれば、前記機能条件と前記機具特性テーブルとに基づき、前記機能条件を満たす代替の医用機具についての前記予約データベースを作成し、
前記故障情報と前記代替の医用機具を表す情報を報知する第３の報知手段をさらに備えたこと、
を特徴とする医用機具管理システム。
【請求項２】
前記予約手段は、前記故障情報と前記機能条件とを比較し、前記機能条件が表す機能に前記故障情報が表す機能が含まれていれば、前記代替の医用機具についての前記予約データベースを作成すること、
を特徴する請求項１記載の医用機具管理システム。
【請求項３】
医用機具が保管されている保管領域からの個人による当該医用機具の持ち出しを監視する医用機具管理システムであって、
前記医用機具に記録された個体識別情報を取得することで前記保管領域から持ち出される医用機具を認識する第１の認識手段と、
前記個人の個人識別情報を取得することで前記個人を認識し前記保管領域に出入りした個人を認識する第２の認識手段と、
前記医用機具及び前記個人の前記認識に基づき、前記個人の前記医用機具の持ち出しが正当であるかを判断する判断手段と、
前記個体識別情報と前記個人識別情報とを予め関連づけ、更に前記個体識別情報と前記個人識別情報の所定の組み合わせに対して予約時間情報を関連付ける予約データベースと、
前記第１の認識手段と前記第２の認識手段により取得した前記個体識別情報と前記個人識別情報の組み合わせを前記予約データベースから検索する予約検索手段と、
前記判断手段の結果、前記組み合わせが前記予約データベースに存在せず、正当であると判断されなければ、警告を発する第１の報知手段と、
前記判断手段の判断の結果、正当であれば、前記組み合わせにおける前記個体識別情報に対応する前記医用機具状態情報を報知する第２の報知手段と、
個人の電波の影響を考慮しなければならない属性情報を予め記憶する電波制限テーブルと、
前記個人が携帯して当該個人の属性情報を送信する無線送信手段から、前記属性情報を受信する無線受信手段と、
前記無線受信手段が受信した前記属性情報を前記電波制限テーブルから検索する電波管理手段と、
を備え、
前記第１の報知手段は、前記受信した前記属性情報が前記電波制限テーブルに含まれていると、電波についての警告を発する手段をさらに備えたこと、
を特徴とする医用機具管理システム。
【請求項４】
医用機具が保管されている保管領域からの個人による当該医用機具の持ち出しを監視する医用機具管理システムであって、
前記医用機具に記録された個体識別情報を取得することで前記保管領域から持ち出される医用機具を認識する第１の認識手段と、
前記個人の個人識別情報を取得することで前記個人を認識し前記保管領域に出入りした個人を認識する第２の認識手段と、
前記医用機具及び前記個人の前記認識に基づき、前記個人の前記医用機具の持ち出しが正当であるかを判断する判断手段と、
前記個体識別情報と前記個人識別情報とを予め関連づけ、更に前記個体識別情報と前記個人識別情報の所定の組み合わせに対して予約時間情報を関連付ける予約データベースと、
前記第１の認識手段と前記第２の認識手段により取得した前記個体識別情報と前記個人識別情報の組み合わせを前記予約データベースから検索する予約検索手段と、
前記判断手段の結果、前記組み合わせが前記予約データベースに存在せず、正当であると判断されなければ、警告を発する第１の報知手段と、
前記判断手段の判断の結果、正当であれば、前記組み合わせにおける前記個体識別情報に対応する前記医用機具状態情報を報知する第２の報知手段と、
前記個人の電波の影響を考慮しなければならない属性情報を予め記憶する電波制限テーブルと、
前記個人が携帯して当該個人の属性情報を送信する無線送信手段から、前記属性情報を受信する無線受信手段と、
前記電波制限テーブルを参照し、前記無線受信手段が受信した前記属性情報が前記電波制限テーブルに含まれていると、前記保管領域内の電波発信体の最大電波出力を制御する電波管理手段と、
を備えること、
を特徴とする医用機具管理システム。
【発明の詳細な説明】
【技術分野】
【０００１】
本発明は、医用機具を管理する医用機具管理システムに関する。
【背景技術】
【０００２】
病院で使用される超音波診断装置等のポータブル医用機器や音響ジェルといった消耗品等の医用材料（以下、機器や材料を総括して医用機具という）は、病院の規模が大きくなればなるほど、その管理体制が重要となってくる。医用機具を使用したいときに、その使用したい医用機具が存在しなければ、またその所在が確実に分からなければ、医療行為に重要な支障をきたすからである。また、医用機具からは、患者の個人情報を抽出することが可能であるためである。
【０００３】
そのため、病院では、緊急の場合を除き、医用機具を保管庫や検査室（以下、これらを総称して「保管領域」という）に保管し、その予約や持ち出しを、管理台帳に記述するか若しくは管理者の記憶によって管理していた。そして、予約状況や持ち出し状況の把握は、都度管理台帳を閲覧するか管理者に問い合わせていた。
【０００４】
しかし、このような紙媒体や管理者の記憶による管理では、予約と実際の持ち出し状況の対比や、持ち出しが病院関係者による正当な予約のもとでなされるのかといった持ち出し正当性の確認や不正持ち出しの検出が困難である。そのため、紙媒体や管理者の記憶による管理では、管理体制が不十分であり、医用行為に支障をきたすおそれや、または個人情報の保護を図れないおそれが存在する。
【０００５】
そこで、例えば、人の予定について生体情報により種々の所定領域への出入口での人の通過状態を管理する出入管理システムが考えられる（例えば、特許文献１参照。）。この出入管理システムでは、少なくとも人の保管領域への立ち入りは管理することが可能である。
【０００６】
また、例えば、移動や持出しが可能な医療機器の位置を、医療従事者が把握することが可能な医療機器監視システムが考えられる（例えば特許文献２参照。）。この医用機器監視システムでは、医用機器が保管領域外にあることを把握することが可能である。
【０００７】
これらのシステムを利用すれば、保管領域に人が入室したことを検出し、その結果、医療器具が持ち出されたことを把握することが可能である。さらに、その持ち出し者が特定人であるか不特定人であるか、持ち出された医用機具がなんであるかも把握することができる。
【０００８】
しかし、これらのシステムを利用しても、持ち出した者と持ち出した医用機具という実際の状況を把握することはできるが、その実際の状況と予約との対比や、その実際の状況が正当なものであるかの判断については、管理台帳や管理者に問い合わせをしなければ行うことができない。従って、従来の医用機具の管理体制では、医用機具を確実に管理することはできずにセキュリティ確保が不十分となる。一方、医用機具を確実に管理しようとすれば持ち出し手続きの厳格化が必要が必要になり管理者への負担が増大する。
【０００９】
【特許文献１】特開２００６−９９４５７号公報
【特許文献２】特開２００３−５２７１７号公報
【発明の開示】
【発明が解決しようとする課題】
【００１０】
本発明は、上記事情に鑑みてなされたものであり、その目的とするところは、医用機具を確実に管理し、セキュリティ確保と医用機具運用の柔軟性と管理負荷低減を両立させる医用機具管理システムを提供することにある。
【課題を解決するための手段】
【００１１】
上記課題を解決するために、本発明の第１の態様は、医用機具が保管されている保管領域からの個人による当該医用機具の持ち出しを監視する医用機具管理システムであって、前記医用機具に記録された個体識別情報を取得することで前記保管領域から持ち出される医用機具を認識する第１の認識手段と、前記個人の個人識別情報を取得することで前記個人を認識し前記保管領域に出入りした個人を認識する第２の認識手段と、前記医用機具及び前記個人の前記認識に基づき、前記個人の前記医用機具の持ち出しが正当であるかを判断する判断手段と、前記個体識別情報と前記個人識別情報とを予め関連づけ、更に前記個体識別情報と前記個人識別情報の所定の組み合わせに対して予約時間情報を関連付ける予約データベースと、前記第１の認識手段と前記第２の認識手段により取得した前記個体識別情報と前記個人識別情報の組み合わせを前記予約データベースから検索する予約検索手段と、前記判断手段の結果、前記組み合わせが前記予約データベースに存在せず、正当であると判断されなければ、警告を発する第１の報知手段と、前記判断手段の判断の結果、正当であれば、前記組み合わせにおける前記個体識別情報に対応する前記医用機具状態情報を報知する第２の報知手段と、前記医用機具を選択するための機能条件の入力とともに予約を受け付ける入力インターフェースと、前記各医用機具を機能別に区分けした機具特性テーブルと、前記機能条件と前記機具特性テーブルとに基づき、前記機能条件を満たす前記医用機具についての前記予約データベースを作成する予約手段と、前記医用機具の故障情報を予め記憶した状態管理テーブルと、を備え、前記個体識別情報は、前記医用機具の状態を示す医用器具状態情報と対になって記憶され、前記予約手段は、前記判断手段の判断の結果が正当であり、かつ前記状態管理テーブルに前記認識された医用機具の前記故障情報が存在すれば、前記機能条件と前記機具特性テーブルとに基づき、前記機能条件を満たす代替の医用機具についての前記予約データベースを作成し、前記故障情報と前記代替の医用機具を表す情報を報知する第３の報知手段をさらに備えたこと、を特徴とする。
【００１３】
前記第２の認識手段は、前記個人の個人識別情報を取得する取得手段と、前記保管領域に入室する個人を検出する近接センサと、を含み、前記判断手段は、前記近接センサによる前記検出後、前記第２の認識手段による前記個人識別情報の取得がなく、前記第１の認識手段による前記医用機具の認識のみであれば、正当でないと判断するようにしてもよい（請求項３記載の発明に相当）。
【発明の効果】
【００２５】
本発明によれば、部外者の持ち出しはもちろん、予約の有無の観点からの不適切な医用機具の持ち出しも管理者に負担を強いることなく簡便に防止することができ、セキュリティ確保と管理負荷低減とを両立して実現することができる。
【発明を実施するための最良の形態】
【００２６】
以下、本発明に係る医用機具管理システムの好適な実施形態について、図面を参照しながら具体的に説明する。
【００２７】
（第１の実施形態）
図１は、第１の実施形態に係る医用機具管理システム１の外観図である。
【００２８】
医用機具管理システム１は、保管領域１００に保管されている医用機具２００を管理するシステムである。この医用機具管理システム１は、医用機具２００を保管している保管庫や検査室等の保管領域１００に入庫している医用機具２００と保管領域１００を入退出する者を監視するセンサ群によって医用機具２００の持ち出しを監視し、持ち出しが正当であるか判断する。医用機具管理システム１は、持ち出しが正当でない場合は、その正当でない持ち出しに対して警告を発する。このシステムによって監視される医用機具２００は、医用現場で使用される超音波プローブ等の医用機器や音響ジェル等の医用材料である。持ち出しの正当性は、医用機具２００の持ち出しを許可できる可能性のある病院関係者に配布される個人識別情報の取得の可否、予約の存在の有無、又は持ち出し者のユーザレベルによって判断される。ユーザレベル情報は、持ち出し者の持ち出しを許可する程度を表す持出者許可情報である。
【００２９】
この医用器具管理システムは、機具用ＲＦＩＤリーダ１０と近接センサ３０と個人用ＲＦＩＤリーダ２０と報知パネル４０と持出者記録部５０と制御ユニット６０を有している。機具用ＲＦＩＤリーダ１０と近接センサ３０と個人用ＲＦＩＤリーダ２０と報知パネル４０と持出者記録部５０は、制御ユニット６０と伝送ケーブルで接続されている。
【００３０】
機具用ＲＦＩＤリーダ１０と個人用ＲＦＩＤリーダ２０は、保管領域１００の入退出口が電磁波送受信有効範囲内に含まれるように保管領域１００内に設置されている。機具用ＲＦＩＤリーダ１０は、医用機具２００に固有に付された個体識別情報を取得する。即ち、この個体識別情報の取得によって医用機具２００を認識する認識手段に含まれる。医用機具２００に個体識別情報が記憶されたＲＦＩＤ２４０が付着又は内蔵されている場合に、このＲＦＩＤ２４０に対して電磁波を送信して、ＲＦＩＤ２４０内に記憶された個体識別情報を受信する。保管領域１００の入退出口が電磁波送受信有効範囲内に含まれているため、保管領域１００から持ち出されようとしている医用器具を個体識別情報によって特定する。個人用ＲＦＩＤリーダ２０は、個人の個人識別情報を取得する。即ち、この個人識別情報の取得によって個人を認識する認識手段に含まれる。個人が携帯しているＩＤカード３００に個人識別情報が記憶されたＲＦＩＤ３１０が付着又は内蔵されている場合に、このＲＦＩＤ３１０に対して電磁波を送信して、ＲＦＩＤ３１０内に記憶された個人識別情報を受信する。保管領域１００の入退出口が電磁波送受信有効範囲内に含まれているため、保管領域１００に入退出した者を個人識別情報によって特定する。
【００３１】
機具用ＲＦＩＤリーダ１０と個人用ＲＦＩＤリーダ２０が保管領域１００に設置され、個体識別情報と個人識別情報が同時期に取得されることによって個人識別情報に対応する個人が個体識別情報に対応する医用器具を持ち出そうとしていることが認識できる。
【００３２】
この機具用ＲＦＩＤリーダ１０と個人用ＲＦＩＤリーダ２０は、取得した個体識別情報と個人識別情報を伝送ケーブルを介して制御ユニット６０に入力する。
【００３３】
近接センサ３０は、保管領域１００に入出した者を検出する。この近接センサ３０は、保管領域１００の入退出口近傍に設けられる。近接センサ３０は、保管領域１００に入出した者を検出すると、検出信号を制御ユニット６０に出力する。近接センサ３０によって人体を検出したものの、個人用ＲＦＩＤリーダ２０で個人識別情報が認識できなければ、病院関係者以外の正当でない者の持ち出しと判断できる。
【００３４】
報知パネル４０は、例えば保管領域１００の入退出口近傍に入退出者の目にとまるように設置されている。報知パネル４０は、ランプやスピーカや液晶ディスプレイを有している。医用機具２００の持ち出しが正当でない場合は、ランプによる光、スピーカによるブザーや音声、液晶ディスプレイによるメッセージの表示によって警告を発する。メッセージを表す文字列情報は、予め報知パネル４０内のメモリに記憶されている。持ち出しが正当でない場合は、報知パネル４０には、制御ユニット６０から伝送ケーブルを介して制御信号が入力される。制御ユニット６０は、この制御信号に呼応して警告駆動を開始する。
【００３５】
持出者記録部５０は、医用機具２００を持ち出そうとする者を記録する。この持出者記録部５０は、持ち出し者の顔を撮影するカメラ５０１や、持ち出し者の指紋若しくは虹彩又は静脈を採取するスキャナを含む。後述する制御ユニット６０の持出者データ記録メモリ５０２を含めて、持ち出されようとする医用機具２００と持ち出し者と持ち出そうとした現在日時とを関連づけて記録する記録手段となる。カメラ５０１やスキャナ側は、保管領域１００側に設置される。カメラ５０１やスキャナが取得した顔のデータ、指紋のデータ、虹彩のデータ、又は静脈のデータは、伝送ケーブルを介して制御ユニット６０に入力される。
【００３６】
図２は、本実施形態に係る医用機具管理システム１の構成を示すブロック図である。
【００３７】
制御ユニット６０は、持ち出しの正当性判断と報知パネル４０の制御と記録手段として機能する。この制御ユニット６０は、判断部６０１と、検索部６０２と、予約データベース６０３と、入力インターフェース６０４と、警告制御部６０５と、持出者記録部５０のうちの持出者データ記録メモリ５０２とにより構成される。判断部６０１と検索部６０２は、データの入出力が可能に電気的に接続されている。検索部６０２と予約データベース６０３は、検索部６０２が予約データベース６０３を参照可能に電気的に接続されている。判断部６０１と機具用ＲＦＩＤリーダ１０と個人用ＲＦＩＤリーダ２０と近接センサ３０は、検出信号と個体識別情報と個人識別情報を検索部６０２側へ入力可能に伝送ケーブルで接続されている。判断部６０１と警告制御部６０５は、判断部６０１から警告制御部６０５へ制御信号を入力可能に電気的に接続されている。警告制御部６０５と報知パネル４０は、警告制御部６０５から報知パネル４０や制御信号入力可能に伝送ケーブルで接続されている。判断部６０１とカメラ５０１やスキャナは、判断部６０１からカメラ５０１やスキャナへ制御信号を入力可能に電気的に接続されている。カメラ５０１やスキャナと持出者データ記録メモリ５０２は、顔のデータ、指紋のデータ、虹彩のデータ、又は静脈のデータを持出者データ記録メモリ５０２に入力可能に伝送ケーブルで接続されている。
【００３８】
判断部６０１は、医用機器の持ち出しが正当であるか否かを判断する。個体識別情報と個人識別情報とが共に入力された場合は、検索部６０２に個体識別情報と個人識別情報を出力して検索を実行させる。検索の結果、検索部６０２から該当情報がない旨を表す信号が入力されれば、警告制御部６０５に対して、警告を発するための制御信号を出力する。また、検索の結果、検索部６０２から該当情報が存在する旨を表す信号が入力されれば、即ち持ち出しが正当であれば、持出者記録部５０のうちのカメラ５０１やスキャナに対して、持出者を記録するための制御信号を出力する。
【００３９】
近接センサ３０から検出信号が入力され、個体識別情報のみが入力された場合、換言すると、人の保管領域１００への出入りは確認され、医用機具２００の持ち出しは検出されたが、出入りした人を特定できなかった場合、判断部６０１は、警告制御部６０５に対して、警告を発するための制御信号を出力する。
【００４０】
検索部６０２は、予約データベース６０３を参照して医用機具２００の持ち出しが正当であるか否か判断する。予約データベース６０３は、持ち出し予約及び持ち出し者のユーザレベルが記憶されたデータベースである。
【００４１】
図３は、予約データベース６０３のデータ構成を示す模式図である。
【００４２】
予約データベース６０３には、持ち出し予約のレコードとして、例えば図中のレコードナンバー０１のように、持ち出しを許可されている者の個人識別情報と、持ち出しが許可されている医用機具２００の個体識別情報と、医用機具２００の持ち出しが許可されている時間帯を表す予約時間情報とが関連づけられて記憶されている。すなわち、持ち出しが許可されている者が許可されている持ち出し可能な医用機器と許可されている時間帯が予約データベース６０３に記憶されている。
【００４３】
また、予約データベース６０３には、持ち出し者のユーザレベルのレコードとして、例えば図中のレコードナンバー０２のように、持ち出し者の個人識別情報と、その持ち出し者のユーザレベル情報が関連づけられて記憶されている。ユーザレベルは、時間帯等を問わずにその者の地位や立場に応じて設定される持ち出し権限である。即ち予約データベース６０３において、ユーザレベル情報と関連づけられた個人識別情報で特定されている者は、時間帯を問わず持ち出しが可能な者として明示されている。
【００４４】
この持ち出し者のユーザレベルのレコードには、例えばレコードナンバー０３のように、さらに医用機具２００の機種名を表す個体識別情報が関連づけられていてもよい。この予約データベース６０３においては、ユーザレベル情報と関連づけられた個人識別情報で特定されている者であっても、その個体識別情報に対応する種類以外の医用機具２００は、持ち出しが許可されていないことを明示する。
【００４５】
この予約データベース６０３は、キーボード等の入力インターフェース６０４を用いて記入される。予約データベース６０３の形態としては、許可する持ち出し者名とその者のＩＤ等によって表される個人識別情報を関連づけたデータベースと、持ち出しを許可する医用機具２００の機具名とその機具のＩＤ等によって表される個体識別情報を関連づけたデータベースとを予め備え、予約データベース６０３においては、持ち出し者名と機具名とを対にして記憶するようにしてもよい。この場合、予約データベース６０３は、持ち出し者名と機具名とを介して個体識別情報と個人識別情報を関連づけしている。
【００４６】
検索部６０２は、入力された個体識別情報と、個人識別情報と、制御ユニット６０に配される時計ＩＣから取得した現在時刻とを検索キーとして予約データベース６０３を検索する。入力された個体識別情報と個人識別情報との関連づけが存在し、かつそのレコードにユーザレベル情報が関連づけられていれば、該当情報有りを表す信号を判断部６０１に入力する。また、入力された個体識別情報と個人識別情報との関連づけが存在し、かつ現在時刻が予約時間情報の表す予約時間又はその予約時間以前の所定時間帯の何れかであれば、該当情報有りを表す信号を判断部６０１に入力する。
【００４７】
警告制御部６０５は、判断部６０１から制御信号の入力があると、即ち持ち出しが正当でなければ、報知パネル４０に対して、警告を発するための制御信号を出力する。
【００４８】
持出者記録部５０では、判断部６０１から制御信号の入力があると、即ち持ち出しが正当であると、カメラ５０１やスキャナが駆動して持ち出し者の顔のデータ、指紋のデータ、虹彩のデータ、又は静脈のデータを採取し、記憶する。
【００４９】
図４は、持ち出し者記録のデータを示す模式図である。持出者記録部５０は、判断部６０１に入力された個体識別情報と、時計ＩＣから取得した持ち出し時刻即ち現在時刻と、採取された顔のデータ、指紋のデータ、虹彩のデータ、又は静脈のデータ等の持ち出し者個人を特定する情報とを関連づけて持出者データメモリに記憶させる。
【００５０】
図５は、本実施形態に係る医用機具管理システム１によって管理される医用機具２００の一例である超音波プローブを示す模式図である。
【００５１】
超音波プローブは、超音波診断装置に接続されて超音波を被検体に送受信する。超音波診断装置では、超音波プローブが受信した超音波のデータを画像処理して、被検体内の医用画像を作成し、モニタに表示する。
【００５２】
超音波プローブは、超音波送受信部２１０を備える。超音波送受信部２１０は、バッキング材２１１の一面に、順に超音波振動素子２１２、音響整合層２１３、音響レンズ２１４を順に積層して構成されている。超音波振動素子２１２は、電極対２１５で挟まれている。これら、バッキング材２１１、超音波振動素子２１２、音響整合層２１３、音響レンズ２１４、電極対２１５は、プローブケースに収納されている。プローブケースの先端は、使用時に被検体の体表に接触する。プローブケース内部には、被検体の体表接触側に音響レンズ２１４が位置するように収納される。
【００５３】
超音波振動素子２１２は、音響と電気とを可逆的に変換可能な圧電効果を有する素子である。チタン酸ジリコン酸鉛Ｐｂ（Ｚｒ、Ｔｉ）Ｏ３、ニオブ酸リチウム（ＬｉＮｂＯ３）、チタン酸バリウム（ＢａＴｉＯ３）又はチタン酸鉛（ＰｂＴｉＯ３）などの圧電セラミック材料が用いられる。超音波振動素子２１２は、１Ｄアレイ、２Ｄアレイ等の各種方式で平面上に並べられる。１Ｄアレイは、短冊状の超音波振動素子２１２をアレイ方向に複数並べる方式である。２Ｄアレイは、超音波振動素子２１２をマトリックス状に複数並べる方式である。この超音波振動素子２１２は、電圧が印加されると、バッキング材２１１や音響整合層２１３が積層する積層方向に超音波を送信する。また、この超音波振動素子２１２は、被検体内から反射した反射波を受信すると、電気信号を出力する。
【００５４】
電極対２１５は、挟んだ超音波振動素子２１２に電圧を印加し、また超音波振動素子２１２が反射波を受信することによって出力する電気信号が流れる。複数の超音波振動素子２１２のそれぞれに対し、対応して設けられている。超音波振動素子２１２のバッキング材２１１側の面に各超音波振動素子２１２６個別の信号電極が接続される。超音波振動素子２１２の音響整合層２１３側の面に共通（ＧＮＤ）電極が接続される。
【００５５】
バッキング材２１１は、超音波振動素子２１２が送信した超音波や受信した反射波のうち、超音波診断装置の画像抽出にとって必要でない超音波振動成分を減衰吸収する。また、超音波の送信に伴って発生した熱をケーブル部２２０等の放熱部材へ伝達する。バッキング材２１１は、超音波の減衰率が高い材料、熱伝導性の高い材料で組成される。例えば、一般的に、合成ゴム、エポキシ樹脂又はウレタンゴムなどにタングステン、フェライト、酸化亜鉛などの無機粒子粉末などを混入した材料が用いられる。
【００５６】
音響整合層２１３は、音響インピーダンスの不整合による被検体体表での超音波の反射を抑制する。この音響整合層２１３は、超音波振動素子２１２の音響インピーダンスと被検体体表の音響インピーダンスとの中間の音響インピーダンスを有している。この音響整合層２１３は、エポキシ樹脂やプラスチック材料などが用いられる。音響インピーダンスを段階的に被検体体表にものに近づけるべく、音響インピーダンスの異なる複数層で構成されても良い。
【００５７】
音響レンズ２１４は、被検体の体表面に接触して超音波送受信を仲介する。この音響レンズ２１４は、被検体側に凸面を有する。超音波振動素子２１２が発振した超音波を集束することにより、被検体の所定深度において音響的な焦点が結ばれる。
【００５８】
この超音波プローブにおいて、個々の電極対２１５から超音波振動素子２１２に電圧が印加されると、圧電効果により超音波振動素子２１２が超音波を発振する。超音波の発振と共に熱が発生する。バッキング材２１１側に送信された不要な超音波は、バッキング材２１１により減衰し、また発生した熱は、バッキング材２１１によりケーブル部２２０へ伝達される。
【００５９】
超音波振動素子２１２が発振した超音波は、音響整合層２１３により超音波プローブ内や被検体内で反射することなく、被検体側へ照射される。音響整合層２１３を通った超音波は、音響レンズ２１４で集束されて被検体内へ照射される。
【００６０】
被検体内へ照射された超音波は、被検体内の音響インピーダンスの不整合によって反射波として超音波プローブ側へ跳ね返る。被検体内の音響インピーダンスの不整合は、主に被検体内の部位の境界で生じる。
【００６１】
反射波は、超音波振動素子２１２により捉えられる。超音波振動素子２１２は、圧電効果により、受信した反射波を電気信号に変換する。超音波振動素子２１２が出力した電気信号は、電極対２１５、ケーブル部２２０、コネクタ部２３０を介して、超音波診断装置に出力される。
【００６２】
図６は、超音波プローブの超音波送受信部２１０を含む内部の全体構成を示すブロック図である。
【００６３】
超音波プローブは、超音波送受信部２１０とコネクタとをケーブルで接続して構成される。コネクタを介して超音波プローブと超音波診断装置とは接続する。コネクタには、ＲＦＩＤ２４０が内蔵されている。ＲＦＩＤ２４０は、電磁誘導により起電力を発生して外部に信号を送信するコイル又は電波方式により起電力を発生して外部に信号を送信する無線通信手段２４２を有する。また、ＲＦＩＤ２４０は、超音波プローブの個体を識別するＩＤ等の個体識別情報を記憶する情報記憶メモリ２４１を有する。
【００６４】
機具用ＲＦＩＤリーダ１０から出力された電磁波や電波を受けると、ＲＦＩＤ２４０は、記憶している個体識別情報が送信する。機具用ＲＦＩＤリーダ１０は、この送信された個体識別情報を受信して、制御ユニット６０の判断部６０１へ入力する。
【００６５】
図７は、持ち出し者の携帯しているＩＤカード３００の構成を示すブロック図である。
【００６６】
ＩＤカード３００には、ＲＦＩＤ３１０が内蔵されている。ＲＦＩＤ３１０は、電磁誘導により起電力を発生して外部に信号を送信するコイル又は電波方式により起電力を発生して外部に信号を送信する無線通信手段３１２を有する。また、ＲＦＩＤ３１０は、ＩＤカード３００を携帯している個人を識別するＩＤ等の個人識別情報を記憶する情報記憶メモリ３１１を有する。
【００６７】
個人用ＲＦＩＤリーダ２０から出力された電磁波や電波を受けると、ＲＦＩＤ３１０は、記憶している個人識別情報が送信する。機具用ＲＦＩＤリーダ１０は、この送信された個体識別情報を受信して、制御ユニット６０の判断部６０１へ入力する。
【００６８】
図８は、医用機具管理システム１の動作を示すフローチャートである。この動作では、医用機具２００として超音波プローブを例にとり説明する。
【００６９】
まず、人が保管領域１００内に入ると、近接センサ３０は、この保管領域１００内に入った人を検出する（Ｓ０１）。近接センサ３０は、保管領域１００に入った人を検出すると（Ｓ０１，Ｙｅｓ）、検出信号を制御ユニット６０の判断部６０１へ入力する（Ｓ０２）。
【００７０】
さらに、個人用ＲＦＩＤリーダ２０は、個人識別情報を受信する（Ｓ０３）。保管領域１００に入った人は、個人用ＲＦＩＤリーダ２０の有効範囲内に入る。保管領域１００に入った人がＲＦＩＤ３１０を搭載したＩＤカード３００を有していれば、ＩＤカード３００のＲＦＩＤ３１０に個人用ＲＦＩＤリーダ２０から起電力が供給されて個人識別情報を出力する。個人用ＲＦＩＤリーダ２０は、この出力された個人識別情報を受信する。個人用ＲＦＩＤリーダ２０は、個人識別情報を受信すれば（Ｓ０３，Ｙｅｓ）、制御ユニット６０の判断部６０１へ入力する（Ｓ０４）。
【００７１】
さらに、機具用ＲＦＩＤリーダ１０は、個体識別情報を受信する（Ｓ０５）。保管領域１００に入った人が保管領域１００内に保管されていた超音波プローブを持ったまま、保管領域１００から出ようとすると、機具用ＲＦＩＤリーダ１０の有効範囲内に超音波プローブが入る。超音波プローブのＲＦＩＤ２４０は、機具用ＲＦＩＤリーダ１０から起電力が供給されて個体識別情報を出力する。機具用ＲＦＩＤリーダ１０は、この出力された個体識別情報を受信する。機具用ＲＦＩＤリーダ１０は、個体識別情報を受信すれば（Ｓ０５，Ｙｅｓ）、制御ユニット６０の判断部６０１へ入力する（Ｓ０６）。
【００７２】
判断部６０１は、近接センサ３０から検出信号が入力されると（Ｓ０２，Ｙｅｓ）、その検出信号の入力時から所定期間をカウントする（Ｓ０７）。判断部６０１は、個体識別情報を受け取ると（Ｓ０８，Ｙｅｓ）、このカウント内に個人用ＲＦＩＤリーダ２０から個人識別情報が入力されたか判断する（Ｓ０９）。判断の結果、個体識別情報のみが入力され、個体識別情報が入力されていなければ（Ｓ０９，Ｎｏ）、警告制御部６０５に制御信号を出力する（Ｓ１０）。
【００７３】
一方、個人識別情報と個体識別情報の双方が入力されていれば（Ｓ０９，Ｙｅｓ）、判断部６０１は、この入力された個人識別情報と個体識別情報を検索部６０２に入力し、検索部６０２は、現在時刻と個人識別情報と個体識別情報を検索キーとして予約データベース６０３を検索する（Ｓ１１）。
【００７４】
検索部６０２は、該当する個人識別情報が含まれたレコードを予約データベース６０３から検出できなければ（Ｓ１２，Ｎｏ）、判断部６０１に該当情報なしを表す信号を入力する（Ｓ１３）。
【００７５】
検索部６０２は、該当する個人識別情報が含まれたレコードを予約データベース６０３から検出すると、その個人識別情報が含まれたレコードにユーザレベル情報が含まれているか判断する（Ｓ１４）。個人識別情報にユーザレベル情報が関連づけられていれば（Ｓ１４，Ｙｅｓ）、判断部６０１に該当情報有りを表す信号を入力する（Ｓ１５）。
【００７６】
また、ユーザレベル情報が関連づけられていなければ（Ｓ１４，Ｎｏ）、検索部６０２は、該当する個人識別情報が含まれたレコードに、入力された個体識別情報が含まれ、かつそのレコードに予約時間情報が表す時間帯及びその時間帯以前の所定時間内に現在時刻が含まれるか判断する（Ｓ１６）。判断の結果、現在時刻が含まれていれば（Ｓ１６，Ｙｅｓ）、判断部６０１に該当情報有りを表す信号を入力する（Ｓ１５）。一方、判断の結果、現在時刻が含まれていなければ（Ｓ１６，Ｎｏ）、検索部６０２は、判断部６０１に該当情報なしを表す信号を入力する（Ｓ１３）。
【００７７】
判断部６０１は、検索部６０２から該当情報有りを表す信号を入力されると（Ｓ１７，Ｙｅｓ）、持出者記録部５０に制御信号を出力する（Ｓ１８）。また、判断部６０１は、該当情報なしを表す信号を検索部６０２から入力されると（Ｓ１９，Ｙｅｓ）、警告制御部６０５に制御信号を出力する（Ｓ１０）。
【００７８】
警告制御部６０５は、判断部６０１から制御信号が入力されると、報知パネル４０に制御信号を出力する。報知パネル４０は、制御信号が入力されると警告を報知する（Ｓ２０）。
【００７９】
持出者記録部５０のカメラ５０１は、判断部６０１から制御信号が入力されると（Ｓ１８）、撮影を行う（Ｓ２１）。このカメラ５０１の撮影によって医用機器を持ち出そうとした者の顔が撮影される。また、持出者記録部５０のスキャナは、判断部６０１から制御信号が入力されると（Ｓ１８）、虹彩や指紋の入力を受け付け、スキャナに持ち出し者の目がかざされ、又はスキャナに持ち出し者の指が載置されると、虹彩や指紋のデータを採取する（Ｓ２１）。持出者記録部５０は、カメラ５０１やスキャナで採取された顔や虹彩や指紋のデータを持出者記録メモリに記憶しておく（Ｓ２２）。
【００８０】
図９は、このような医用機具管理システム１による医用機器管理の第１の具体例を説明する図である。第１の具体例では、持ち出し者がＩＤカード３００を携帯していない場合である。
【００８１】
このような医用機具管理システム１では、ＩＤカード３００を携帯していない者が保管領域１００から医用機具２００を持ち出そうとして保管領域１００を出ようとした場合、制御ユニット６０には、個体識別情報のみが入力され、個人識別情報が入力されない。この場合、医用機具管理システム１では、警告が発せられる。
【００８２】
図１０は、このような医用機具管理システム１による医用機器管理の第２の具体例を説明する図である。
【００８３】
例えば、医用機具２００を持ち出そうとする者のＩＤカード３００には、「Ｈ００１」の個人識別情報が記憶されており、持ち出そうとする医用機具２００には、「Ｋ００１」の個体識別情報が記憶されており、予約データベース６０３には、「Ｈ００１」の個人識別情報と全種類を表す個体識別情報とユーザレベル情報が関連づけられているものとする。
【００８４】
この場合、医用機具管理システム１は、「Ｈ００１」の個人識別情報を取得し、予約データベース６０３を検索する。「Ｈ００１」の個人識別情報が含まれているレコードには、ユーザレベル情報が含まれているため、レコード内の個体識別情報を確認する。レコード内の個体識別情報は、全種類を表しているため、医用機具管理システム１は、この持ち出しを正当と判断し、持ち出し者を記録した上で、この処理を終了する。即ち、警告されることなく、持ち出し者の持ち出しは認容される。
【００８５】
図１１は、報知パネル４０が警告する具体例の一つを表す模式図である。持ち出し者の不明な持ち出しに対しては、例えば液晶ディスプレイに、「その医用機具は、持ち出し厳禁です。警備会社に通報します。」とのメッセージを表示する。
【００８６】
図１２は、このような医用機具管理システム１による医用機器管理の第３の具体例を説明する図である。
【００８７】
例えば、医用機具２００を持ち出そうとする者のＩＤカード３００には、「Ｈ００１」の個人識別情報が記憶されており、持ち出そうとする医用機具２００には、「Ｋ００１」の個体識別情報が記憶されており、予約データベース６０３には、「Ｈ００１」の個人識別情報と、「Ｋ００１」の個体識別情報と、予約時間情報として「１５：００〜１７：００」とが、関連づけられているものとする。また、「Ｈ００１」の個人識別情報と「Ｋ００１」の個人識別情報とが取得された時間を「１４：５０」とし、予め予約時間帯以前の所定時間として「２０分」が設定されているものとする。
【００８８】
この場合、医用機具管理システム１は、「Ｈ００１」の個人識別情報と「Ｋ００１」の個体識別情報を取得し、さらに現在日時として「１４：５０」を取得する。医用機具管理システム１は、この取得処理に合わせて「Ｈ００１」の個人識別情報と「Ｋ００１」の個体識別情報と「１４：５０」の予約時間帯情報の組み合わせを予約データベース６０３から検索する。「１４：５０」は、「１５：００〜１７：００」以前の「２０分」以内に相当するため、医用機具管理システム１は、持ち出しを正当と判断し、持ち出し者を記録した上で、この処理を終了する。即ち、警告されることなく、持ち出し者の持ち出しは認容される。
【００８９】
図１３は、このような医用機具管理システム１による医用機器管理の第４の具体例を説明する図である。
【００９０】
例えば、医用機具２００を持ち出そうとする者のＩＤカード３００には、「Ｈ００１」の個人識別情報が記憶されており、持ち出そうとする医用機具２００には、「Ｋ００１」の個体識別情報が記憶されており、予約データベース６０３には、「Ｈ００１」の個人識別情報と、「Ｋ００１」の個体識別情報と、予約時間情報として「１５：００〜１７：００」とが、関連づけられているものとする。また、「Ｈ００１」の個人識別情報と「Ｋ００１」の個人識別情報とが取得された時間を「１４：００」とし、予め予約時間帯以前の所定時間として「２０分」が設定されているものとする。また、「Ｈ００１」の個人識別情報で特定される者は、「○田×男」だとする。
【００９１】
この場合、医用機具管理システム１は、「Ｈ００１」の個人識別情報と「Ｋ００１」の個体識別情報を取得し、さらに現在日時として「１４：００」を取得する。医用機具管理システム１は、この取得処理に合わせて「Ｈ００１」の個人識別情報と「Ｋ００１」の個体識別情報と「１４：００」の予約時間帯情報の組み合わせを予約データベース６０３から検索する。「１４：００」は、「１５：００〜１７：００」及び「１５：００〜１７：００」以前の「２０分」以内のいずれにも相当しないため、警告が発せられる。
【００９２】
図１４は、報知パネル４０が警告する他の具体例を表す模式図である。予約時間帯と現在時刻が合わない場合には、例えば液晶ディスプレイに、「○田×男さま。その医用機具の予約時間は、１５：００〜１７：００となっております。現在は、その医用機具の持ち出しは禁止されています。」とのメッセージを表示する。判断部６０１は、個人識別情報と当該個人識別情報で表される人物の名前を関連づけたデータベースを予め有しており、報知パネル４０への制御信号とともに、このデータベースから人物の名前を取得して出力し、予約データから予約時間情報を取得して出力する。報知パネル４０は、この人物の名前を表すデータと予約時間情報を予め保持しているメッセージに組み合わせて表示する。
【００９３】
尚、持ち出そうとする医用機具２００が一致しない場合は、「○田×男さま。その医用機具の持ち出し機具と予約とが一致しません。持ち出しが許可されている医用機具は、○×です。」とのメッセージを表示する。判断部６０１は、個体識別情報と当該個体識別情報で表される医用機具名を関連づけたデータベースを予め有している。判断部６０１は、予約データベース６０３から個体識別情報を取得して、この取得した個体識別情報に関連づけられた医用機具名を取得し、制御信号とともに報知パネル４０へ出力する。報知パネル４０は、この医用機具名を表すデータを予め保持しているメッセージに組み合わせて表示する。
【００９４】
このように、本実施形態の医用機具管理システム１は、部外者の持ち出しはもちろん、予約の有無の観点からの不適切な医用機具の持ち出しも管理者に負担を強いることなく簡便に防止することができ、セキュリティ確保と管理負荷低減とを両立して実現することができる。
【００９５】
尚、個体識別情報が取得できなければ、単純な保管領域１００内立入りとなる。本実施形態の医用機具管理システム１では、個人情報保護などの目的で無許可者の立入りを禁止又は制限することもできる。この場合、近接センサ３０で個人の入室が検出された場合、または個人識別情報で予約データベース６０３を検索してユーザレベル情報が関連づけられていない場合に、判断部６０１は、報知パネル４０に立ち入りを禁止する報知を行わせる。また、持出者記録部５０を制御して入出した個人を記録する。
【００９６】
また、本実施形態の医用機具管理システム１では、報知パネル４０に代えて、又は報知パネル４０とともに、通信インターフェースを有するようにし、システム管理者の有するコンピュータや携帯端末に対して、ネットワークを介して通報するようにしてもよい。判断部６０１は、報知パネル４０への制御信号と同様の情報を同時期に通信インターフェースを介してシステム管理者の有するコンピュータや携帯端末に送信する。
【００９７】
（第１の変形例）
図１５は、第１の実施形態に係る医用機具管理システム１の第１の変形例を示す外観図である。また、図１６は、この第１の変形例に係る医用機具管理システム１に対応する医用機具２００の構成を示すブロック図である。
【００９８】
第１の変形例に係る医用機具管理システム１は、機具用ＲＦＩＤリーダ１０及び個人用ＲＦＩＤリーダ２０に代えて、ＩＥＥＥ８０２．１１諸規格やＢｌｕｅｔｏｏｔｈ（登録商標）規格に準拠したシステム側短距離無線通信機７０を有している。一方、超音波プローブは、コネクタに内部電源２５０と電源制御部２６０と同様の規格に準拠した機具側短距離無線通信機２７０と加速度センサ２８０と情報記憶メモリ２４１を有している。また、個人は、ＩＤカード３００に代えて、個人識別情報を記憶している携帯無線端末を携帯している。
【００９９】
この携帯無線端末から個人識別情報が発信され、システム側短距離無線通信機７０で受信される。また、この変形例に係る医用機具管理システム１では、医用機具２００の内部電源２５０からの電流によって個体識別情報を送受信する。
【０１００】
超音波プローブでは、加速度センサ２８０の検出信号が内部電源２５０に入力される。内部電源２５０は、検出信号の入力があると、電源制御部２６０及び機具側短距離無線通信機２７０に電力を供給する。電源制御部２６０は、電力供給開始から所定の時間をカウントする。所定時間のカウントが終了すると、内部電源２５０に制御信号を出力する。内部電源２５０は、電源制御部２６０から制御信号が入力されると、電力の供給を停止する。即ち、この超音波プローブでは、省電力のため、持ち出し者が超音波プローブを持ち運ぶときの加速度を検出して、この検出から一定期間のみ個体識別情報を送信する。尚、持ち運びが継続しているときは、加速度センサ２８０から絶えず検出信号が出力されるため、所定のカウントに達することがなく、電力の供給は停止されない。
【０１０１】
機具側短距離無線通信機２７０は、情報記憶メモリ２４１に記憶されている個体識別情報を連続的に繰り返し送信する。そして、持ち運びにより、超音波プローブが医用機具管理システム１のシステム側短距離無線通信機７０の通信有効範囲、即ち保管領域１００の入退出口近傍に達すると、システム側短距離無線通信機７０は、機具側短距離無線通信機２７０が送信している個体識別情報を受信する。システム側短距離無線通信機７０が個体識別情報を受信すると、この個体識別情報が制御ユニット６０に入力され、持ち出しの正当性が判断される。
【０１０２】
（第２の変形例）
また、図１７は、第２の変形例に係る医用機具管理システム１に対応する超音波プローブの構成を示すブロック図である。
【０１０３】
第２の変形例に係る超音波プローブには、コネクタに、内部電源２５０と電源制御部２６０と同様の規格に準拠した機具側短距離無線通信機２７０と加速度センサ２８０と情報記憶メモリ２４１に加えて、報知パネル２９０を有している。
【０１０４】
医用機具管理システム１の判断部６０１は、システム側の報知パネル４０に入力する制御信号及び持ち出し者名又は機具名をシステム側短距離無線通信機７０と機具側短距離無線通信機２７０の通信を介して超音波プローブにも送信する。判断部６０１から警告を発するための制御信号を受け取った機具側の報知パネル２９０は、システム側の報知パネル４０と同様に音や光や予め定められたメッセージにより警告を発する。
【０１０５】
電源制御部２６０は、判断部６０１から警告を発するための制御信号を受け取ると、内部電源２５０に制御信号を入力することなくカウントを停止する。即ち、この報知パネル２９０を搭載した超音波プローブでは、警告が省電力モードにより解除されない。
【０１０６】
（第３の変形例）
図１８は、第１の実施形態に係る医用機具管理システム１の第３の変形例を示す外観図である。
【０１０７】
第３の変形例に係る医用機具管理システム１では、個人用ＲＦＩＤリーダ２０に代えて、生体情報を取得する生体情報取得部８０を有する。生体情報取得部８０は、顔面を撮影するカメラ５０１若しくは網膜の虹彩や指紋を採取するスキャナと、個人識別情報抽出部とで構成される。カメラ５０１やスキャナは、保管領域１００に設置される報知パネル４０と一体に取り付けられる。このカメラ５０１やスキャナは、持出者記録部５０と共通の構成であってもよい。個人識別情報抽出部は、制御ユニット６０側に配される。カメラ５０１やスキャナと個人識別情報抽出部は、カメラ５０１やスキャナと伝送ケーブルを介して電気的に接続される。また、個人識別情報抽出部は、判断部６０１に個人識別情報を入力可能に電気的に接続される。
【０１０８】
個人識別情報抽出部は、カメラ５０１で撮影された顔面データ、スキャナで採取された虹彩データ又は指紋データを解析して、特徴点とその特徴点間の関係を求める。特徴点及び特徴転換の関係が個人識別情報となり、個人識別情報抽出部から判断部６０１へ入力される。予約データベース６０３には、個人識別情報として、予め記憶されている特徴点とその特徴点間の関係で表される情報が関連づけられている。
【０１０９】
この第３の変形例では、判断部６０１は、近接センサ３０からの検出信号を受け取ると、報知パネル４０に人物チェックのためのメッセージを表示させるための制御信号を入力する。報知パネル４０は、顔面を撮影するため、若しくは網膜の虹彩や指紋を採取するためのメッセージを表示する。また、報知パネル４０上には、ボタンが設置される。カメラ５０１やスキャナは、ボタンの押下に応じて駆動する。
【０１１０】
（第２の実施形態）
図１９は、第２の実施形態に係る医用機具管理システム１の構成を示すブロック図である。また、図２０は、第２の実施形態に係る医用機具管理システム１に備えられる報知パネル４０の模式図である。
【０１１１】
病院では、緊急に医用機具２００を必要とする場合がある。緊急のときは予約をしていない場合や予約が間に合わない場合があるが、このような場合には医用機具２００の持ち出しを認容する必要がある。第２の実施形態に係る医用機具管理システム１では、予約の観点からは持ち出しが正当でなくとも、持ち出しを認容する。
【０１１２】
本実施形態に係る医用機具管理システム１の警告制御部６０５は、パスコード記憶部６０６を有する。また、警告制御部６０５は、持出者記録部５０のカメラ５０１やスキャナと伝送ケーブルを介して接続されており、カメラ５０１やスキャナに対して持ち出し者記録のための制御信号を入力可能となっている。報知パネル４０には、数字や文字等の各種記号を配したキーボタン４１が配列されている。
【０１１３】
図２１は、緊急パスコードの例を示す図である。警告制御部６０５のパスコード記憶部６０６には、予め設定されている緊急パスコードが記憶されている。緊急パスコードは、報知パネル４０のキーボタン４１のうちのいずれかに対応した記号の列で構成されている。
【０１１４】
警告制御部６０５は、報知パネル４０のキーボタン４１を押下することで入力された記号列を伝送ケーブルを介して受け取り、パスコード記憶部６０６の緊急パスコードと照合する。入力された記号列が緊急パスコードと一致すれば、警告制御部６０５は、持出者記録部５０に制御信号を入力させ、持ち出そうとして警告を受けた者の顔データや虹彩データや指紋データを採取させた上で、システム側の報知パネル４０に警告を停止させる制御信号を出力する。
【０１１５】
持出者記録部５０は、判断部６０１から個体識別情報と現在時刻を受け取り、顔データや虹彩データや指紋データ等の持ち出そうとした個人を特定する情報と関連づけて持出者記録メモリに記録しておく。
【０１１６】
図２２は、この第２の実施形態に係る医用機具管理システム１の動作を示すフローチャートである。尚、持ち出しが正当でないと判断して警告を発するまでの動作は、第１の実施形態と同一につき、その詳細な説明を省略する。
【０１１７】
まず、報知パネル４０より警告が発せられた際に、持ち出し者が報知パネル４０のキーボタン４１を用いて記号列を入力すると（Ｓ３１）、報知パネル４０は、入力された記号列を警告制御部６０５に入力する（Ｓ３２）。
【０１１８】
警告制御部６０５は、記号列が入力されると（Ｓ３２）、パスコード記憶部６０６から緊急パスコードを読み出し（Ｓ３３）、入力された記号列と比較する（Ｓ３４）。比較の結果、入力された記号列が緊急パスコードと一致しなければ（Ｓ３４，Ｎｏ）、報知パネル４０が警告を発している状態のまま、処理を終了する。
【０１１９】
一方、比較の結果、入力された記号列と緊急パスコードとが一致していれば（Ｓ３４，Ｙｅｓ）、警告制御部６０５は、持出者記録部５０に制御信号を出力する（Ｓ３５）。
【０１２０】
持出者記録部５０は、警告制御部６０５からの制御信号を受けて、カメラ５０１又はスキャナを駆動させ、顔データや虹彩データや指紋データ等の持ち出す者を特定する情報を取得する（Ｓ３６）。さらに持出者記録部５０は、判断部６０１から個体識別情報と現在時刻を受け取り（Ｓ３７）、持ち出す者を特定する情報に関連づけて持出者記録メモリに記憶する（Ｓ３８）。
【０１２１】
持出者記録部５０による持ち出し者の記録が終了すると、警告制御部６０５は、報知パネル４０に対して警告を停止させる制御信号を入力する（Ｓ３９）。報知パネル４０は、この制御信号を受けて警告を停止する（Ｓ４０）。
【０１２２】
尚、医用機具２００が報知パネル２９０を有している場合には、医用機具２００に対して無線により機具側の報知パネル２９０の警告を停止させる制御信号を送信し、警告を停止させるようにしてもよい。
【０１２３】
この第２の実施形態に係る医用機具管理システム１によれば、緊急のときは予約をしていない場合であっても、医用機具２００の持ち出しを認容することができるため、セキュリティ確保を優先した厳格な管理体制であっても医用機具の運用に柔軟性が生まれ、病院運営に支障をきたすことがない。
【０１２４】
（第３の実施形態）
図２３は、第３の実施形態に係る医用機具管理システム１の構成を示すブロック図である。また、図２４は、第３の実施形態に係る医用機具管理システム１の保管領域１００側の外観を示す模式図である。
【０１２５】
図２３に示すように、第３の実施形態に係る医用機具管理システム１は、機具探索用ＲＦＩＤリーダ９０と表示ランプ９１と表示制御部を備えている。表示制御部は、機具探索用ＲＦＩＤリーダ９０と表示ランプ９１とに伝送ケーブルで接続されている。また、表示制御部と判断部６０１は、個人用ＲＦＩＤリーダ２０から入力された個人識別情報を表示制御部に入力可能に電気的に接続されている。また、表示制御部と検索部６０２は、検索要求や検索結果の入出力が可能に電気的に接続されている。
【０１２６】
図２４に示すように、機具探索用ＲＦＩＤリーダ９０と表示ランプ９１は、一対のセットとなり、各医用機具２００の載置箇所に一対一で対応して設置されている。
【０１２７】
機具探索用ＲＦＩＤリーダ９０は、対応して載置されている医用機具２００の個体識別情報を取得することで、対応している医用機具２００を認識する。この機具探索用ＲＦＩＤリーダ９０は、表示制御部からの制御信号によって、電磁波又は電波を送信し、医用機具２００のＲＦＩＤ２４０から送信された個体識別情報を取得する。機具探索用ＲＦＩＤリーダ９０は、取得した個体識別情報を、機具探索用ＲＦＩＤリーダ９０のリーダ識別情報とともに表示制御部に入力する。
【０１２８】
表示制御部は、入室した個人が予約している医用機具２００が保管されている棚を表示ランプ９１や報知パネル４０を制御して識別表示させる。
【０１２９】
この表示制御部は、個人用ＲＦＩＤリーダ２０が個人識別情報を取得すると、この個人識別情報を検索部６０２に出力して、予約データベース６０３において個人識別情報に関連づけられている個体識別情報の検索を要求する。検索部６０２から個体識別情報が返されると、表示制御部は、機具探索用ＲＦＩＤリーダ９０から入力された個体識別情報とリーダ識別情報の対を参照して、検索部６０２から返された個体識別情報と対になっているリーダ識別情報を特定する。表示制御部は、リーダ識別情報を特定すると、そのリーダ識別情報で特定される機具探索用ＲＦＩＤリーダ９０とセットになっている表示ランプ９１に電力を供給させ、表示ランプ９１を点灯させる。
【０１３０】
また、表示制御部は、リーダ識別情報と医用機具２００が載置されている棚番号の対を記憶したテーブルを有している。表示制御部は、このテーブルを参照して、特定されたリーダ識別情報に対応する棚番号を報知パネル４０に入力し、報知パネル４０に棚番号を表させる。
【０１３１】
図２５は、第３の実施形態に係る医用機具管理システム１の動作を示すフローチャートである。尚、医用機具２００を持ち出そうとした後の動作は、第１の実施形態に係る医用機具管理システム１と同様のため、その詳細な説明を省略する。
【０１３２】
まず、保管領域１００に人が入室すると、その人が携帯しているＩＤカード３００のＲＦＩＤ３１０に対して個人用ＲＦＩＤリーダ２０から電磁波又は電波が供給され、ＲＦＩＤ３１０に起電力が生じ、ＲＦＩＤ３１０から個人識別情報が送信される。個人用ＲＦＩＤリーダ２０は、送信された個人識別情報を受信すると（Ｓ４１，Ｙｅｓ）、伝送ケーブルと判断部６０１と表示制御部を介して検索部６０２に入力する（Ｓ４２）。
【０１３３】
検索部６０２は、個人識別情報が関連づけられたレコードを予約データベース６０３から検索する（Ｓ４３）。該当するレコードが見つかると、検索部６０２は、個人識別情報に関連づけられている個体識別情報を読み出し（Ｓ４４）、表示制御部に入力する（Ｓ４５）。
【０１３４】
表示制御部は、個体識別情報が入力されると（Ｓ４５）、各機具探索用ＲＦＩＤリーダ９０に通信のための制御信号を入力する（Ｓ４６）。機具探索用ＲＦＩＤリーダ９０は、それぞれ電磁波又は電波を出力し（Ｓ４７）、対応関係にある医用機具２００のＲＦＩＤ２４０に起電力を生じさせ、医用機具２００のＲＦＩＤ２４０から個体識別情報を受信する（Ｓ４８）。各機具探索用ＲＦＩＤリーダ９０は、個体識別情報を受信すると、リーダ識別情報を付加して表示制御部に入力する（Ｓ４９）。
【０１３５】
表示制御部は、各機具探索用ＲＦＩＤリーダ９０から受信した個体識別情報とリーダ識別情報の対から、検索部６０２から入力された個体識別情報を検索し（Ｓ５０）、該当する個体識別情報とリーダ識別情報の対からリーダ識別情報を読み出す（Ｓ５１）。
【０１３６】
表示制御部は、リーダ識別情報を読み出すと（Ｓ５１）、このリーダ識別情報で特定される機具探索用ＲＦＩＤリーダ９０とセットになっている表示ランプ９１に対して点灯のための電気信号を入力する（Ｓ５２）。電気信号を入力された表示ランプ９１は、点灯する（Ｓ５３）。
【０１３７】
また、表示制御部は、リーダ識別情報と棚番号を対にしたテーブルを参照して、読み出したリーダ識別情報に対応する棚番号を読み出す（Ｓ５４）。棚番号を読み出すと、表示制御部は、報知パネル４０に棚番号とともに制御信号を入力する（Ｓ５５）。報知パネル４０は、制御信号が入力されると、入力された棚番号を含めた予約の医用機具２００のありかを示すメッセージを表示する（Ｓ５６）。
【０１３８】
第３の実施形態に係る医用機具管理システム１によれば、予約が存在して正当な持ち出し者となりうる者に予め、その予約の医用機具２００を知らせることができるので、持ち出し機具を誤ることによる警告を予防できる。また、持ち出し者も予約の医用機具２００を保管領域１００から探す手間が省けるため、利便性に優れる。
【０１３９】
（第４の実施形態）
図２６は、第４の実施形態に係る医用機具管理システム１の構成を示すブロック図である。本実施形態に係る医用機具管理システム１は、第１の実施形態の第２の変形例の構成に加え、状態管理テーブル６０７を有している。状態管理テーブル６０７は、判断部６０１とデータ入出力可能に接続されている。
【０１４０】
図２７は、状態管理テーブル６０７を示すデータ構成図である。状態管理テーブル６０７は、医用機具２００の状態を表す状態情報を記憶する。個体識別情報と対にして状態情報が記憶されている。状態情報は、医用機具２００の故障の内容を表す項目、点検結果を表す情報が記憶されている項目、滅菌の必要性を表す項目、個人情報保護の必要性を表す項目、医用機具２００の持ち出しが課金の対象となるか否かを表す項目、持ち出し可能範囲を表す項目、返却予定時刻を表す項目で構成されている。返却予定時刻を表す項目以外は、入力インターフェース６０４を用いて入力される。返却予定時刻を表す項目は、予約データベース６０３から予約時間情報を読み出して記憶される。
【０１４１】
第４の実施形態に係る医用機具管理システム１に対応する医用機具２００は、第１の実施形態の第２の変形例と同様に、内部電源２５０と報知パネル２９０を搭載している。
【０１４２】
この医用機具管理システム１は、持ち出しが正当であるため持ち出しを認容すると、持ち出される医用機具２００の状態情報が状態管理テーブル６０７にあれば、医用機具２００の報知パネル２９０及びシステム側の報知パネル４０に表示する。
【０１４３】
図２８は、本実施形態に係る医用機具管理システム１の動作を示すフローチャートである。尚、持ち出しの正当性を判断して、正当であった場合に持ち出しを認容する処理までは、第１の実施形態と同様につき、その詳細な説明を省略する。
【０１４４】
判断部６０１に該当情報有りを表す信号を入力され、持ち出しが正当であることが判断されると、判断部６０１は、個体識別情報を検索キーとして状態管理テーブル６０７を検索する（Ｓ６０）。判断部６０１の検索の結果、個体識別情報に対応する状態管理テーブル６０７のレコードに状態情報が記憶されていれば（Ｓ６１，Ｙｅｓ）、その状態情報を読み出す（Ｓ６２）。一方、状態管理情報が記憶されていなければ（Ｓ６１，Ｎｏ）、処理を終了する。
【０１４５】
判断部６０１は、状態情報を読み出すと（Ｓ６２）、その状態情報をシステム側短距離無線通信機７０に入力し、状態情報が入力されたシステム側短距離無線通信機７０は、入力された状態情報を持ち出しが認容された医用機具２００に送信する（Ｓ６３）。また、判断部６０１は、状態情報を読み出すと、その状態情報をシステム側の報知パネル４０に入力する（Ｓ６４）。
【０１４６】
状態情報を受信した医用機具２００は、機具側の報知パネル２９０に受信した状態情報を表示する（Ｓ６５）。また、状態情報が入力されたシステム側の報知パネル４０は、入力された状態情報を表示する（Ｓ６６）。
【０１４７】
この医用機具管理システム１では、現在滅菌待ちであるのか、メンテナンス待ちであるのか、故障しているのか等の状態情報を速やかに把握することが可能となる。これにより、人体に悪影響のある状態におかれている医用機具２００を用いることによる災害を防止することが可能となる。
【０１４８】
（第５の実施形態）
図２９は、第５の実施形態に係る医用機具管理システム１の構成を示すブロック図である。本実施形態に係る医用機具管理システム１は、第４の実施形態において、さらに予約部６０８と医用機具特性テーブル６０９と機能条件記憶部６１０を有している。予約部６０８は、予約データベース６０３と判断部６０１とにデータ入出力可能に電気的に接続されている。予約部６０８と医用機具特性テーブル６０９は、データ入出力可能に電気的に接続されている。予約部６０８と機能条件記憶部６１０は、データ入出力可能に電気的に接続されている。また、予約部６０８は、システム側短距離無線通信機７０及びシステム側の報知パネル４０と伝送ケーブルを介して接続されている。
【０１４９】
判断部６０１は、状態情報を状態管理テーブル６０７から検索し、故障の有無の項目に故障を表す情報が記憶されていると、予約部６０８に予約変更のための制御信号と予約データベース６０３のレコードナンバーと個体識別情報と故障内容を表す状態情報を入力する。
【０１５０】
予約部６０８は、予約テーブルを作成する。また、予約部６０８は、予約されている医用機具２００に故障が発生していれば、その医用機具２００に代替可能な医用機具２００の予約を新たに作成し、予約した代替機具を示す情報を機具側及びシステム側の報知パネル４０，２９０に表示させることで代替機具を提示する。
【０１５１】
予約部６０８による予約は、入力インターフェース６０４を用いて機能条件が入力されることにより行われる。機能条件は、必要とする医用機具２００の機能の条件である。入力インターフェース６０４を用いて、持ち出し者を示す情報と予約時間と、機能条件とを入力する。予約部６０８は、医用機具特性テーブル６０９を参照して機能条件を満たす医用機具２００を選択し、入力された持ち出し者の個人識別情報と予約時間情報とに関連づけて予約データベース６０３に登録する。
【０１５２】
図３０は、医用機具特性テーブル６０９を示すデータ構成図である。医用機具特性テーブル６０９には、各種医用機具２００の機能の組み合わせと、その組み合わせの条件に適合する各医用機具２００の個体識別情報が記憶されている。
【０１５３】
例えば、「超音波診断」「断層像撮影」「血流速度計測」という機能の組み合わせに対して、この組み合わせの各機能を達成可能な各医用機具２００の個体識別情報である「Ｋ００１」「Ｋ００２」が記憶されている。また、「超音波診断」「断層像撮影」という機能の組み合わせに対して、この組み合わせの各機能を達成可能な各医用機具２００の個体識別情報である「Ｋ００１」「Ｋ００２」「Ｋ００３」が記憶されている。
【０１５４】
入力インターフェース６０４を用いて、例えば「超音波診断」「断層像撮影」「血流速度計測」が機能条件として入力されると、予約部６０８は、医用機具特性テーブル６０９を参照して、この機能を満たす「Ｋ００１」「Ｋ００２」のいずれか一方を読み出す。例えば、記憶されている順番が若い個体識別情報である「Ｋ００１」を読み出す。
【０１５５】
そして、予約部６０８は、この医用機具特性テーブル６０９から読み出した個体識別情報と入力された持ち出し者を示す情報に対応する個人識別情報と予約時間に対応する予約時間情報を関連づけて予約データベース６０３に記憶する。
【０１５６】
図３１は、機能条件記憶部６１０に記憶されている機能条件を示すデータ構成図である。予約部６０８は、この入力された機能条件とこの条件で予約をした医用機具２００の個体識別情報を対にして機能記憶部に記憶させておく。例えば、「超音波診断」「断層像撮影」「血流速度計測」といった機能条件の入力の結果、「Ｋ００１」の個体識別情報で表される医用機具２００を選択した場合は、この「超音波診断」「断層像撮影」「血流速度計測」といった機能条件と「Ｋ００１」の個体識別情報を対にして機能条件記憶部６１０に記憶させておく。
【０１５７】
図３２は、本実施形態に係る医用機具管理システム１の動作を示すフローチャートである。尚、持ち出しの正当性を判断して、判断部６０１が状態情報を検索する処理までは、第４の実施形態と同様につき、その詳細な説明を省略する。
【０１５８】
まず、判断部６０１は、故障の有無の項目に故障を表す情報が記憶されていると（Ｓ７１，Ｙｅｓ）、予約部６０８に予約変更のための制御信号と予約データベース６０３のレコードナンバーと個体識別情報と故障内容を表す状態情報を入力する（Ｓ７２）。
【０１５９】
予約部６０８は、機能条件記憶部６１０を参照して入力された個体識別情報に対応付けられている機能条件を読み出す（Ｓ７３）。そして、予約部６０８は、読み出した機能条件に故障内容を表す状態情報が含まれているか検索する（Ｓ７４）。例えば、血流速度計測故障を表す状態情報が入力されれば、機能条件から血流速度計測を検索する。
【０１６０】
検索の結果、機能条件に故障内容を表す状態情報が含まれていなければ（Ｓ７４，Ｎｏ）、予約部６０８は、処理を終了する。一方、機能条件に故障内容を表す状態情報が含まれていれば（Ｓ７４，Ｙｅｓ）、予約部６０８は、医用機具特性テーブル６０９を参照して、読み出した機能条件を含む各種医用機具２００の機能の組み合わせを検索し（Ｓ７５）、この組み合わせと対になっている各医用機具２００の個体識別情報のうち、入力された個体識別情報とは異なるいずれかの個体識別情報を読み出す（Ｓ７６）。
【０１６１】
予約部６０８は、さらに予約データベース６０３を参照して、入力されたレコードナンバーに対応するレコードから個人識別情報と予約時間情報を読み出す（Ｓ７７）。個人識別情報と予約時間情報又はユーザレベル情報を読み出すと、予約部６０８は、入力されたレコードナンバーに対応するレコードを削除する（Ｓ７８）。また、予約部６０８は、読み出した個人識別情報と予約時間情報又はユーザレベル情報と医用機具特性テーブル６０９から読み出した個体識別情報とを関連づけて予約データベース６０３に登録する（Ｓ７９）。
【０１６２】
さらに、予約部６０８は、医用機具特性テーブル６０９から読み出した個体識別情報をシステム側及び機具側の報知パネル４０，２９０に通信及び伝送ケーブルによって送信する（Ｓ８０）。システム側と機具側の報知パネル４０，２９０は、例えば図３３に示すように、「予約の医用機具は故障しています。代替機具として○×をお使いください」等の個体識別情報に対応する代替機具を表示する（Ｓ８１）。
【０１６３】
本実施形態に係る医用機具管理システム１によれば、人体に悪影響のある状態におかれている医用機具２００を用いることによる災害を防止することが可能となるとともに、代替機具をすみやかに使用でき、病院運営に支障をきたすことがない。
【０１６４】
尚、予約部６０８は、予約データベース６０３を参照して機能条件を満たす医用機具２００の一覧から、予約済みの医用機具２００を除き、残りの医用機具２００の一覧を表示させるようにしてもよい。この場合、医用機具管理システム１は、この医用機具２００の一覧を表示するためのモニタが接続される。そして、入力インターフェース６０４を用いて医用機具２００の一覧から選択された一の医用機具２００を予約データベース６０３に登録するようにしてもよい。また、個人識別情報とユーザレベル情報との対を参照し、ユーザレベル情報が一定以上でなければ、この予約を受け付けないようにしてもよい。予約しようとする者に貸出に十分なユーザレベル情報が無い場合は、システムの管理者へ許諾を求める通信を行い、予約しようとする者に貸出すことができるようにサービスを提供する。
【０１６５】
また、医用機具２００が返却された時点で医用機器管理システムと通信と医用機具２００との間で通信を行い、返却された医用機具２００に新たな故障が確認された場合は、その状態情報を状態管理テーブル６０７に自動的に記憶させるようにしてもよい。判断部６０１は、新たな故障が確認されると、通信手段を介して管理者へ故障発生通知を行うと同時に、この医用機具２００の次以降の予約に対しての代替予約を仮予約し、借用予定者又は管理者に通知する。この仮予約により直前には困難な機器の使用変更を事前に行うことが可能となり、故障による医用機具２００のダウンタイムの低減を実現できる。さらに、代替機具が施設内に準備できない場合は、事前に登録された関連施設への緊急貸出し又は医用機具２００のレンタルサービス提供業者への連絡を自動的に行い、施設内での医用機具２００の過剰保有を防ぐしくみと連動させることができる。
【０１６６】
また、同時に新たな故障が確認された場合には、医用機具２００の修理を行う業者への連絡を平行して、事前に設定された送信先にメールを送るようにしてもよい。この時に故障状態として、医用機具管理システム１が受け取った個体識別認識情報と故障を表す状態情報及び予約状況を送信する。修理業者は可能故障の状態から必要な修理部品の手配を行い修理部品入手予定を確認の上、医用機具２００の予約状況を確認して、訪問して行う修理の計画を立てて、医用機具２００の管理者に修理計画の提案を行う。
【０１６７】
また、状態情報は、入力インターフェース６０４を用いて入力される他、医用機具２００側から医用機具管理システム１へ送信するようにしてもよい。貸出し時にウィルスなどに医用機具２００が汚染された場合、例えば超音波診断装置等の入力機器を用いて、接続された医用機具２００のメモリに状態情報を書き込む。医用機具２００の返却のために医用機具２００が保管領域１００へ持ち込まれると、機具用ＲＦＩＤリーダ１０は、医用機具２００に記憶されているウィルスなどに汚染されていることを表す状態情報を取得する。
【０１６８】
尚、判断部６０１は、ウィルスなどに汚染されていることを表す状態情報が入力されると、この状態情報を状態管理テーブル６０７に書き込むとともに、予め記憶している返却すべき場所を表す情報を報知パネル４０に表示させ、ネットワークを介して滅菌消毒の作業依頼を表す情報を作業者のコンピュータや端末に送信するようにしてもよい。さらに、返却場所には、さらに別の機具用ＲＦＩＤリーダ１０を設け、実際に指定の場所に置かれたかが確認できるようにしてもよい。
【０１６９】
また、状態情報として個人情報が含まれる医用機具２００であることを表す情報が存在する場合、判断部６０１は、報知パネル４０を用いて保護すべき個人情報が含まれていることと許可無く持出せないことを報知するメッセージを報知パネル４０に報知させ、個人情報を消去した匿名化を行うか、許可を得るかなどの動作の選択を即すようにしてもよい。
【０１７０】
匿名化を行う場合は、医用機具２００を動作させて、個人情報を匿名化し、内部の個人情報を更新した後、医用機具管理システム１を通過する。機具用ＲＦＩＤリーダ１０は、個人情報の匿名化の有無を読み取り、判断部６０１は、その匿名化の有無に応じて通過を認容する。また、許可を得る選択した場合は、報知パネル４０や許可者のコンピュータや端末を用いてワンタイムパスコードなどの許可情報を入力させる。
【０１７１】
また、状態情報として消耗品の累積使用時間を表す情報が存在する場合には、その状態情報が一定時間以上であれば、定期交換を表す情報を部品交換業者のコンピュータへ通知するようにしてもよい。一定時間は、交換作業を入札などで行う場合に十分なリードタイムを持って計画できるように時期を設定できる。また、定期交換までの残り時間に応じて、交換作業手配や交換時間の予約データベース６０３への反映など何段階の処理を定義するようにしてもよい。さらに、医用機具２００が内部電源２５０を有する場合、予定の使用時間と残り充電量に応じて、別のバッテリの容易などの通知を行うようにしてもよい。また、生体との音波の伝播を良好とする為の音響ジェル等の医用機具２００においては、持出し時に使い切って廃棄した場合や保管領域１００内で使い切って領域外に廃棄した場合に医用機器管理システムで持出し後未返却となっている消耗品を消耗したと判断し、領域内搬入数から減じて、現在所有数量を計算し、規定の所有量を下回った時に、消耗品納入業者への発注システムに発注依頼を発行するようにしてもよい。
【０１７２】
（第６の実施形態）
第６の実施形態に係る医用機具管理システム１は、第１乃至第５の実施形態に係る医用機具管理システム１において、保管領域１００に入室した個人が心臓ペースメーカを有する等の低電波耐性問題を表す属性を有する場合、システム側及び医用機具２００側で発信する電波の最大出力を制限する。
【０１７３】
図３４は、本実施形態の医用機具管理システム１において、持ち出し者の携帯しているＩＤカード３００の構成を示すブロック図である。
【０１７４】
ＩＤカード３００のＲＦＩＤ３１０の情報記憶メモリ３１１には、個人識別情報の他に、このＩＤカード３００を携帯する者の属性情報が記憶されている。この属性情報は、個人の属性のうち、低電波耐性問題を表す情報である。例えば、属性情報は、個人が心臓ペースメーカを有することを表す情報である。ＩＤカード３００のＲＦＩＤ３１０は、個人識別情報の他、情報記憶メモリ３１１に属性情報が存在すれば、この属性情報も送信する。
【０１７５】
図３５は、本実施形態に係る医用機具管理システム１の構成を表すブロック図である。この医用機具管理システム１は、システム側短距離無線通信機７０を有し、さらに電波管理部６１１と電波制限テーブル６１２とを有する。
【０１７６】
電波管理部６１１は、伝送ケーブルと判断部６０１とを介して個人用ＲＦＩＤリーダ２０からＩＤカード３００のＲＦＩＤ３１０に記憶されている属性情報を受け取り可能に電気的に配されている。電波制限テーブル６１２は、電波管理部６１１とデータの入出力可能に電気的に配されている。
【０１７７】
個人用ＲＦＩＤリーダ２０は、ＩＤカード３００のＲＦＩＤ３１０から送信された個人識別情報と属性情報を受信する。判断部６０１は、属性情報が個人用ＲＦＩＤリーダ２０から入力されると、入力された属性情報をスルーして電波管理部６１１に入力する。
【０１７８】
電波管理部６１１は、属性情報と電波制限テーブル６１２を参照して、保管領域１００内の機具用ＲＦＩＤリーダ１０や個人用ＲＦＩＤリーダ２０やシステム側短距離無線通信機７０や機具側短距離無線通信機２７０等の電波発信体を制御し、電波の最大出力を制限する。また、電波管理部６１１は、属性情報と電波制限テーブル６１２を参照して保管領域１００内の電波についての警告を発するための制御信号を報知パネル４０に入力する。
【０１７９】
図３６は、電波管理部６１１により参照される電波制限テーブル６１２のデータ構成を示す模式図である。電波制限テーブル６１２には、電波の影響を考慮しなければならない属性情報がリスト化されて記憶されている。
【０１８０】
電波管理部６１１は、属性情報が入力されると、電波制限テーブル６１２と照合する。照合の結果、入力された属性情報が電波制限テーブル６１２に含まれていると、電波管理部６１１は、電波の最大出力を制御し、また報知パネル４０によって電波についての警告を報知する。電波の最大出力は、例えば２０ｍＷ以下に制御する。電波管理部６１１の機具側短距離無線通信機２７０に対する電波制御では、システム側短距離無線通信機７０を介して電波出力を低下させるための制御情報を医用機具２００側に送信する。
【０１８１】
図３７は、本実施形態の医用機具管理システム１において利用される医用機具２００の構成を示すブロック図である。本実施形態において、医用機具２００は、さらに電波制御部２９５を備えている。電波制御部２９５は、機具側短距離無線通信機２７０を制御可能に電気的接続されている。
【０１８２】
医用機具２００では、機具側短距離無線通信機２７０がシステム側短距離無線通信機７０から電波出力を低下させるための制御情報を受信すると、この制御情報が電波制御部２９５に入力される。電波制御部２９５は、電波出力を低下させるための制御情報が入力されると、機具側短距離無線通信機２７０の電波の最大出力を制限するようにコントロールする。
【０１８３】
図３８は、本実施形態に係る医用機具管理システム１の動作を示すフローチャートである。尚、持ち出しの正当性の判断の動作については、第１の実施形態と同様につき、詳細な説明を省略する。
【０１８４】
まず、人が保管領域１００内に入ると、近接センサ３０は、この保管領域１００内に入った人を検出する。さらに、このとき、保管領域１００に入った人は、個人用ＲＦＩＤリーダ２０の有効範囲内に入る。保管領域１００に入った人がＲＦＩＤ３１０を搭載したＩＤカード３００を有していれば、ＩＤカード３００のＲＦＩＤ３１０から個人識別情報と属性情報が出力される。個人用ＲＦＩＤリーダ２０は、個人識別情報と属性情報を受信する。個人用ＲＦＩＤリーダ２０は、個人識別情報と属性情報を受信すると（Ｓ９１，Ｙｅｓ）、制御ユニット６０の判断部６０１へ入力する（Ｓ９２）。
【０１８５】
判断部６０１は、属性情報が入力されると（Ｓ９２）、この属性情報をスルーして電波管理部６１１へ入力し、電波管理部６１１は、入力された属性情報を電波制限テーブル６１２から検索する（Ｓ９３）。入力された属性情報が電波制限テーブル６１２に存在しなければ（Ｓ９４，Ｎｏ）、電波管理部６１１は、処理を終了する。
【０１８６】
一方、入力された属性情報が電波制限テーブル６１２に存在していれば（Ｓ９４，Ｙｅｓ）、電波管理部６１１は、システム側の報知パネル４０に電波の出力を制限するための制御信号を入力する（Ｓ９５）。また、入力された属性情報が電波制限テーブル６１２に存在していれば（Ｓ９４，Ｙｅｓ）、電波管理部６１１は、システム側短距離無線通信機７０に電波の出力を制限するための制御情報を入力する（Ｓ９６）。
【０１８７】
電波の出力を制限するための制御信号が入力された報知パネル４０は、例えば「保管領域１００内には、あなたに悪影響をおよぼすおそれのある電波が発信されています。直ちに退避してください。」等のメッセージと音や光による電波についての警告を報知する（Ｓ９７）。
【０１８８】
また、医用機具２００では、電波の出力を制限するための制御情報を機具側短距離無線通信機２７０が受信すると、電波制御部２９５により機具側短距離無線通信機２７０の電波の最大出力がコントロールされる（Ｓ９８）。
【０１８９】
本実施形態の医用機具管理システム１によれば、電波による生命維持に対する重篤な問題が発生することを回避することができる。
【０１９０】
尚、電波の最大出力を制限する制御を行う際に、報知パネル４０を介して低電波モードに移行中であるある旨のメッセージと低電波モードに移行した旨のメッセージを表示するようにして、保管領域１００への立ち入りタイミングを知らせるようにしてもよい。
【０１９１】
また、保管領域１００から低電波耐性問題を有する者が退出したことを検出すると、電波出力の制限を解除するようにしてもよい。進入方向か退出方向かを認識する手段として、保管領域１００内と保管領域１００外にそれぞれ個人用ＲＦＩＤリーダ２０を設置して、それぞれの認識の時間順序で方向を特定する。
【０１９２】
さらに、医用機器管理システムは、機具用ＲＦＩＤリーダ１０やシステム側短距離無線通信機７０によって、電波の最大出力の観点から持ち込み禁止の医用機具２００が電波を出力したまま持ち込まれたことを検出した場合は、入場者に対する警告を発することも可能である。この場合、持ち込み禁止の医用機具２００のリストを予め記憶しておき、この医用機具２００のリストと取得した個体識別情報とを照合する。
【０１９３】
また、常時携帯することを意図した低電波耐性問題の危険がある情報を記憶するＩＤカード３００などではプライバシーの観点から個人を特定するは含まないことが望ましい。この点から、低電波耐性問題の危険がある情報などの属性情報のみを記憶するＲＦＩＤ３１０を常時携帯させ、個人特定用に使用するＩＤカード３００とは別のものにする事が望ましい。
【図面の簡単な説明】
【０１９４】
【図１】第１の実施形態に係る医用機具管理システムの外観図である。
【図２】本実施形態に係る医用機具管理システムの構成を示すブロック図である。
【図３】予約データベースのデータ構成を示す模式図である。
【図４】持ち出し者記録のデータを示す模式図である。
【図５】本実施形態に係る医用機具管理システムによって管理される医用機具の一例である超音波プローブを示す模式図である。
【図６】超音波プローブの超音波送受信部を含む内部の全体構成を示すブロック図である。
【図７】持ち出し者の携帯しているＩＤカードの構成を示すブロック図である。
【図８】医用機具管理システムの動作を示すフローチャートである。
【図９】医用機具管理システムによる医用機器管理の第１の具体例を説明する図である。
【図１０】医用機具管理システムによる医用機器管理の第２の具体例を説明する図である。
【図１１】報知パネルが警告する具体例の一つを表す模式図である。
【図１２】医用機具管理システムによる医用機器管理の第３の具体例を説明する図である。
【図１３】医用機具管理システムによる医用機器管理の第４の具体例を説明する図である。
【図１４】報知パネルが警告する他の具体例を表す模式図である。
【図１５】第１の実施形態に係る医用機具管理システムの第１の変形例を示す外観図である。
【図１６】第１の変形例に係る医用機具管理システムに対応する医用機具の構成を示すブロック図である。
【図１７】第２の変形例に係る医用機具管理システムに対応する超音波プローブの構成を示すブロック図である。
【図１８】第１の実施形態に係る医用機具管理システムの第３の変形例を示す外観図である。
【図１９】第２の実施形態に係る医用機具管理システムの構成を示すブロック図である。
【図２０】第２の実施形態に係る医用機具管理システムに備えられる報知パネルの模式図である。
【図２１】緊急パスコードの例を示す図である。
【図２２】第２の実施形態に係る医用機具管理システムの動作を示すフローチャートである。
【図２３】第３の実施形態に係る医用機具管理システムの構成を示すブロック図である。
【図２４】第３の実施形態に係る医用機具管理システムの保管領域側の外観を示す模式図である。
【図２５】第３の実施形態に係る医用機具管理システムの動作を示すフローチャートである。
【図２６】第４の実施形態に係る医用機具管理システムの構成を示すブロック図である。
【図２７】状態管理テーブルを示すデータ構成図である。
【図２８】第４の実施形態に係る医用機具管理システムの動作を示すフローチャートである。
【図２９】第５の実施形態に係る医用機具管理システムの構成を示すブロック図である。
【図３０】医用機具特性テーブルを示すデータ構成図である。
【図３１】機能条件記憶部に記憶されている機能条件を示すデータ構成図である。
【図３２】第５の実施形態に係る医用機具管理システムの動作を示すフローチャートである。
【図３３】第５の実施形態に係る医用機具管理システムにおいて代替機具を表示した状態を示す模式図である。
【図３４】第６の実施形態の医用機具管理システムにおいて、持ち出し者の携帯しているＩＤカードの構成を示すブロック図である。
【図３５】第６の実施形態に係る医用機具管理システムの構成を表すブロック図である。
【図３６】電波管理部により参照される電波制限テーブルのデータ構成を示す模式図である。
【図３７】第６の実施形態の医用機具管理システムにおいて利用される医用機具の構成を示すブロック図である。
【図３８】第６の実施形態に係る医用機具管理システムの動作を示すフローチャートである。
【符号の説明】
【０１９５】
１      医用機具管理システム
１０    機具用ＲＦＩＤリーダ
２０    個人用ＲＦＩＤリーダ
３０    近接センサ
４０    報知パネル
４１    キーボタン
５０    持出者記録部
５０１  カメラ
５０２  持出者データ記録メモリ
６０    制御ユニット
６０１  判断部
６０２  検索部
６０３  予約データベース
６０４  入力インターフェース
６０５  警告制御部
６０６  パスコード記憶部
６０７  状態管理テーブル
６０８  予約部
６０９  医用機具特性テーブル
６１０  機能条件記憶部
６１１  電波管理部
６１２  電波制限テーブル
７０    システム側短距離無線通信機
８０    生体情報取得部
９０    機具探索用ＲＦＩＤリーダ
９１    表示ランプ
１００  保管領域
２００  医用機具
２１０  超音波送受信部
２１１  バッキング材
２１２  超音波振動素子
２１３  音響整合層
２１４  音響レンズ
２１５  電極対
２２０  ケーブル部
２３０  コネクタ部
２４０  ＲＦＩＤ
２４１  情報記憶メモリ
２４２  無線通信手段
２５０  内部電源
２６０  電源制御部
２７０  機具側短距離無線通信機
２８０  加速度センサ
２９０  報知パネル
２９５  電波制御部
３００  ＩＤカード
３１０  ＲＦＩＤ
３１１  情報記憶メモリ
３１２  無線通信手段
【図１】
0005134895.tif 000002
【図２】
0005134895.tif 000003
【図３】
0005134895.tif 000004
【図４】
0005134895.tif 000005
【図５】
0005134895.tif 000006
【図６】
0005134895.tif 000007
【図７】
0005134895.tif 000008
【図８】
0005134895.tif 000009
【図９】
0005134895.tif 000010
【図１０】
0005134895.tif 000011
【図１１】
0005134895.tif 000012
【図１２】
0005134895.tif 000013
【図１３】
0005134895.tif 000014
【図１４】
0005134895.tif 000015
【図１５】
0005134895.tif 000016
【図１６】
0005134895.tif 000017
【図１７】
0005134895.tif 000018
【図１８】
0005134895.tif 000019
【図１９】
0005134895.tif 000020
【図２０】
0005134895.tif 000021
【図２１】
0005134895.tif 000022
【図２２】
0005134895.tif 000023
【図２３】
0005134895.tif 000024
【図２４】
0005134895.tif 000025
【図２５】
0005134895.tif 000026
【図２６】
0005134895.tif 000027
【図２７】
0005134895.tif 000028
【図２８】
0005134895.tif 000029
【図２９】
0005134895.tif 000030
【図３０】
0005134895.tif 000031
【図３１】
0005134895.tif 000032
【図３２】
0005134895.tif 000033
【図３３】
0005134895.tif 000034
【図３４】
0005134895.tif 000035
【図３５】
0005134895.tif 000036
【図３６】
0005134895.tif 000037
【図３７】
0005134895.tif 000038
【図３８】
0005134895.tif 000039